(57)【要約】【課題】人にとって快適な空調状態を形成できる空調システムを提供する。【解決手段】人の位置とその位置に位置する人の人体表面温度とを検知する人感センサー３が備えられると共に、制御部４が備えられ、人感センサー３で検知された人９の位置とその位置に位置する人９の人体表面温度に基づいて、制御部４がエアコン本体１に運転状態の切換え指令信号を出力するようになされている。人感センサー３からの検知信号と、リモコン２からの操作信号とに基づいて最適な運転状態を学習する人工知能部５が備えられ、制御部４が、人感センサー３からの検知信号と、それに対応する人工知能部５からの信号とに基づいて、エアコン本体１に運転状態の切換え指令信号を出力するようになされているとよい。【選択図】      図１
2008138902.tif 000002
【特許請求の範囲】
【請求項１】
人の位置とその位置に位置する人の人体表面温度とを検知する人感センサーが備えられると共に、制御部が備えられ、人感センサーで検知された人の位置とその位置に位置する人の人体表面温度に基づいて、制御部がエアコン本体に運転状態の切換え指令信号を出力するようになされていることを特徴とする空調システム。
【請求項２】
前記人感センサーが人の存在・不存在を検知する機能を備え、該人感センサーが人の不存在を検知したとき、制御部がエアコン本体にオンからオフへの切換え指令信号を出力するようになされている請求項１に記載の空調システム。
【請求項３】
前記人感センサーからの検知信号と、エアコン本体操作部からの操作信号とに基づいて最適な運転状態を学習する人工知能部が備えられ、制御部が、人感センサーからの検知信号と、それに対応する人工知能部からの信号とに基づいて、エアコン本体に運転状態の切換え指令信号を出力するようになされている請求項１又は２に記載の空調システム。
【請求項４】
前記人感センサーがエアコン本体から分離され、室内高所に設置されている請求項１乃至３のいずれか一に記載の空調システム。
【発明の詳細な説明】
【技術分野】
【０００１】
本発明は、空調システムに関する。
【背景技術】
【０００２】
エアコンの室内機に室温検知センサーが備えられ、該センサーで検知された温度に基づいて、エアコンの運転状態が切り換わるようになされた空調システムは、従来より、提供されている。
【特許文献１】特開平９−１５２１３９号公報
【発明の開示】
【発明が解決しようとする課題】
【０００３】
しかしながら、室内機周囲の温度を室温とみなして運転状態の切換えを行う制御方法では、実際の体感温度との間にギャップを生じてしまいやすく、暑すぎたり、寒すぎたりして、不快感を覚えやすい。
【０００４】
本発明は、上記のような問題点に鑑み、人にとって快適な空調状態を形成することができる空調システムを提供することを課題とする。
【課題を解決するための手段】
【０００５】
上記の課題は、人の位置とその位置に位置する人の人体表面温度とを検知する人感センサーが備えられると共に、制御部が備えられ、人感センサーで検知された人の位置とその位置に位置する人の人体表面温度に基づいて、制御部がエアコン本体に運転状態の切換え指令信号を出力するようになされていることを特徴とする空調システムによって解決される。
【０００６】
この空調システムでは、人の位置とその位置に位置する人の人体表面温度とを検知し、該人の位置とその位置に位置する人の人体表面温度に基づいて、運転状態の切換え指令信号が出力されるようになされているので、その人にとって快適な空調状態を形成することができる。
【０００７】
前記人感センサーが人の存在・不存在を検知する機能を備え、該人感センサーが人の不存在を検知したとき、制御部がエアコン本体にオンからオフへの切換え指令信号を出力するようになされている場合は、空調エネルギーを無駄に消費してしまうのを防ぐことができる。
【０００８】
前記人感センサーからの検知信号と、エアコン本体操作部からの操作信号とに基づいて最適な運転状態を学習する人工知能部が備えられ、制御部が、人感センサーからの検知信号と、それに対応する人工知能部からの信号とに基づいて、エアコン本体に運転状態の切換え指令信号を出力するようになされている場合は、人工知能部の行う学習によって、エアコン本体操作部に対する操作をいちいち行わなくても、快適な空調状態を形成することができるようになる。
【０００９】
前記人感センサーがエアコン本体から分離され、室内高所に設置されている場合は、室内に居る人の位置やその人の人体表面温度を、エアコン本体との取り合い関係による制限をなくして、ないしは、少なくして、人感センサーに精度の良い検知を行わせることができる。
【発明の効果】
【００１０】
本発明は、以上のとおりのものであるから、人にとって快適な空調状態を形成することができる。
【発明を実施するための最良の形態】
【００１１】
次に、本発明の実施最良形態を図面に基づいて説明する。
【００１２】
図１に示す実施形態の空調システムにおいて、１はエアコン本体、２はエアコン本体操作部としてのリモコン、３は人感センサー、４は制御部、５は人工知能部であり、人感センサー３と制御部４と人工知能部５は、一つの機器７に組み込まれ、図１（イ）に示すように、エアコン本体１から分離されて、室内６の高所である天井部８に設置されている。これにより、室内６に居る人９の位置やその人９の人体表面温度を、エアコン本体１との取り合い関係による制限をなくして、ないしは、少なくして、人感センサー３に精度の良い検知を行わせることが可能になる。
【００１３】
図１（ロ）に示すように、人感センサー３は、赤外線センサー１０と画像センサー１１とを組み合わせて構成されたもので、人の位置を検知する機能と、その位置に位置する人の人体表面温度を検知する機能と、人の存在・不存在を検知する機能とを備えている。
【００１４】
制御部４は、マイコンなどで構成されており、人感センサー３で検知された人の位置とその位置に位置する人の人体表面温度に基づいて、エアコン本体１に運転状態の切換え指令信号を出力するようになされている。
【００１５】
例えば冷房運転において、図１（イ）に示すように、室内６のある位置に位置する人９の人体表面温度が、設定温度を下回っているときには、エアコン本体１の運転状態を強にし、設定温度に達したときに、その運転状態を弱やオフに切り換えたりする制御を行う。また、検知した人の位置に基づいて、その位置以外の方向に吹き出し方向を向けさせる制御なども行ってよい。
【００１６】
また、制御部４は、室内６から人９が立ち去るなどして室内６の人が不存在となったのを人感センサー３が検知したとき、それに基づいて、エアコン本体１にオンからオフへの切換え指令信号を出力するようになされている。
【００１７】
人工知能部５は、人感センサー３から制御部４に送られた検知信号と、リモコン２からの操作信号とに基づいて、その検知内容に対応する操作内容が最適運転状態を形成するための最適な制御内容であると学習していくものからなっていて、制御部４は、人感センサー３からの検知信号と、人工知能部５からの対応する信号とに基づいて、エアコン本体１に運転状態の切換え指令信号を出力するようになされている。
【００１８】
例えば冷房運転において、室内６の人９の人体表面温度がある温度になったときにリモコン２を操作してエアコン本体１の運転を停止したような場合には、人工知能部５は、人体表面温度がその温度に達したときエアコン本体１の運転を停止することを学習し、それを、次回からの制御に反映させて、人体表面温度がその温度に達したとき、リモコン２を操作しなくても、エアコン本体１の運転を停止する制御が制御部４からの切換え指令信号により行われる。
【００１９】
また、本実施形態の人感センサー３は、エアコン本体１の位置が検知可能な室内６の天井部８に設置され、エアコン本体１の位置と人９の位置とを検知し、制御部４と人工知能部５は、その相対的位置関係を考慮した制御と学習を行うようになされている。
【００２０】
このように、上記の空調システムによれば、人９の位置とその位置に位置する人９の人体表面温度とに基づいた運転状態の制御が行われるようになされているので、その人９にとって快適な空調状態を形成することができる。
【００２１】
しかも、人の不存在が検知されると、エアコン本体がオフに切り換わるようになされているので、空調エネルギーを無駄に消費してしまうのを防ぐことができる。
【００２２】
加えて、学習機能によって、リモコン２に対する操作をいちいち行わなくても、快適な空調状態が形成されるようになり、操作の煩わしさを解消していくことができる。
【図面の簡単な説明】
【００２３】
【図１】図（イ）は実施形態の空調システムの室内設置状態を示す正面図、図（ロ）はシステムの構成を示すブロック説明図である。
【符号の説明】
【００２４】
１…エアコン本体
２…リモコン（エアコン本体操作部）
３…人感センサー
４…制御部
５…人工知能部
【図１】
2008138902.tif 000003